(57)【要約】【課題】所定位置に固定されているセパレーター５の先端螺軸部９ｂを後設置型枠板１２に設けられた貫通孔１３に挿通させるように当該後設置型枠板１２を設置する作業を容易にすることが出来る補助具を提案する。【解決手段】端部に型枠板１２に設けられた貫通孔１３に内側から挿通される螺軸部９ｂを備えた型枠組立て用セパレーター５の前記螺軸部９ｂに外嵌される補助具１７であって、合成樹脂製の軸状本体１８の一端から、前記螺軸部９ｂが挿脱自在に挿入される有底孔２０が同心状に設けられる共に、当該軸状本体１８の他端部は、先端ほど小径になる円錐形に形成され、前記有底孔２０の底部には、前記螺軸部９ｂの先端面に吸着する磁石１９が配設された構成。【選択図】図４
2014125800.tif 000002
【特許請求の範囲】
【請求項１】
端部に型枠板に設けられた貫通孔に内側から挿通される螺軸部を備えた型枠組立て用セパレーターの前記螺軸部に外嵌される補助具であって、合成樹脂製の軸状本体の一端から、前記螺軸部が挿脱自在に挿入される有底孔が同心状に設けられる共に、当該軸状本体の他端部は、先端ほど小径になる円錐形に形成され、前記有底孔の底部には、前記螺軸部の先端面に吸着する磁石が配設されている、コンクリート型枠組立て用補助具。
【発明の詳細な説明】
【技術分野】
【０００１】
本発明は、コンクリート型枠を組み立てる際、先に所定位置に一端部が固定されたセパレーターの他端部に対して型枠板を組み付ける作業を容易にするためのコンクリート型枠組立て用補助具に関するものである。
【背景技術】
【０００２】
コンクリート型枠は、コンクリート打設空間を形成するためのものであって、例えばコンクリート打設空間をコンクリート型枠板間に形成する場合、先に所定位置に配設された設置済み型枠板には、後から設置の型枠板（以下、後設置型枠板と略称する）を定位置に固定して、設置済み型枠板との間のコンクリート打設空間巾を規制するためのセパレーターが所定間隔で取り付けられている。従って、後設置型枠板には、前記セパレーターの先端に押し付けるなどしてマークした各セパレーター位置に合わせて貫通孔を設けておき、この各貫通孔に前記セパレーターの先端螺軸部が挿通されるように後設置型枠板を所定位置に配置し、当該後設置型枠板の各貫通孔から突出する各セパレーターの先端螺軸部に型枠締結具をネジ結合して、後設置型枠板をセパレーターに固定支持させることになる。このようにコンクリート型枠組立て時には、後設置型枠板に前以て設けられている貫通孔に、設置済み型枠板に取り付けられている各セパレーターの先端螺軸部を挿通させるように、後設置型枠板を設置する作業を行うことになるが、この後設置型枠板を設置する作業を容易にするための補助具として、特許文献１に記載されるように、セパレーターの先端螺軸部に外嵌させることが出来る孔を一端から同心状に設けた軸状本体の他端部を、先端ほど小径になる円錐形に形成された補助具が知られている。
【先行技術文献】
【特許文献】
【０００３】
【特許文献１】特開平９−４２２４号公報
【発明の概要】
【発明が解決しようとする課題】
【０００４】
上記のような従来周知の補助具によれば、当該補助具の円錐形先端が後設置型枠板の貫通孔のエリア内に位置しておりさえすれば、当該後設置型枠板をセパレーター側に移動させたときに、前記補助具をガイドにして各セパレーターの先端螺軸部を後設置型枠板の貫通孔に確実に挿通させることが出来るのであるが、各補助具は、作業中にセパレーターの先端螺軸部から容易に脱落しないものでなくてはならない。従って、補助具の孔は、セパレーターの先端螺軸部を比較的容易に挿入することが出来るが当該孔とセパレーターの先端螺軸部との間には適当な引抜き抵抗が得られるように、内径精度の高いものでなければならない。この孔の内径精度が低いと、作業中に補助具がセパレーターの先端螺軸部から容易に脱落したり、逆にセパレーターの先端螺軸部に対する補助具の取付けに大きな圧入力を要することになり、何れにしても作業の円滑な遂行を妨げることになる。
【課題を解決するための手段】
【０００５】
本発明は、上記のような従来の問題点を解消することのできるコンクリート型枠組立て用補助具を提案するものであって、本発明に係るコンクリート型枠組立て用補助具は、後述する実施例との関係を理解し易くするために、当該実施例の説明において使用した参照符号を括弧付きで付して示すと、端部に型枠板(12)に設けられた貫通孔(13)に内側から挿通される螺軸部(9b)を備えた型枠組立て用セパレーター(5)の前記螺軸部(9b)に外嵌される補助具(17)であって、合成樹脂製の軸状本体(18)の一端から、前記螺軸部(9b)が挿脱自在に挿入される有底孔(20)が同心状に設けられる共に、当該軸状本体(18)の他端部は、先端ほど小径になる円錐形に形成され、前記有底孔(20)の底部には、前記螺軸部(9b)の先端面に吸着する磁石(19)が配設された構成になっている。
【発明の効果】
【０００６】
上記本発明によれば、セパレーターの先端螺軸部に外嵌させた軸状本体の先端の円錐形部分を利用して、後設置型枠板の貫通孔内にセパレーターの先端螺軸部を容易に導くことが出来るので、後設置型枠板の設置作業が容易に能率良く行える。しかも本発明の構成によれば、軸状本体に設けられる、セパレーターの先端螺軸部が挿脱自在に挿入される有底孔の内径は、当該有底孔内にセパレーターの先端螺軸部を圧入しなくとも容易に挿入することが出来る程度、換言すれば、当該有底孔とセパレーターの先端螺軸部との間の抵抗によって軸状本体をセパレーターの先端螺軸部に保持させておくことが出来ない程度に大きく形成しておいても、セパレーターの先端螺軸部を軸状本体の有底孔に挿入しさえすれば、当該有底孔の底部に埋設されている磁石とセパレーターの先端螺軸部の先端面とが吸着し、この磁気吸着力により軸状本体が確実にセパレーターの先端螺軸部に保持される。従って、セパレーター先端螺軸部への装着が非常に容易であるにもかかわらず、高い精度が要求されないので容易且つ安価に実施することが出来る。更に、後設置型枠板を所定位置に設置したならば、当該後設置型枠板から突出する補助具（軸状本体）を単に前記磁気吸着力に打ち勝つ力で引っ張るだけで、簡単にセパレーターの先端螺軸部から補助具を取り外して再使用することが出来る。
【図面の簡単な説明】
【０００７】
【図１】図１Ａは、既設型枠板にセパレーターの一端部が取り付けられた状態を示す一部縦断側面図、図１Ｂは、図１Ａのセパレーターの他端部に後設置型枠板を取り付けた状態を示す一部縦断側面図である。
【図２】図２は、補助具を使用しない状態での後設置型枠板とセパレーターとの関係を示す一部縦断側面図である。
【図３】図３Ａは、本発明の補助具の縦断側面図、図３Ｂは、同補助具の正面図、図３Ｃは、セパレーターの先端螺軸部に補助具を取り付けた状態を示す一部縦断側面図である。
【図４】図４Ａは、図３の補助具を使用する状態での後設置型枠板とセパレーターとの関係を示す一部縦断側面図、図４Ｂは、使用後に補助具を取り外すときの状態を示す一部縦断側面図である。
【発明を実施するための形態】
【０００８】
図１は、両側のコンクリート型枠１，２間でコンクリート打設空間３が形成されるときの型枠構造を示しており、一方のコンクリート型枠１は、型枠板４、セパレーター５、型枠締結具６、型枠板４の外側面に当接する水平バタ材７、及び水平バタ材７の外側に直交する向きで当接する垂直バタ材８から構成されている。セパレーター５は、両端の螺軸部９ａ，９ｂと、この螺軸部９ａ，９ｂの内側に型枠板受止め用座金（図示例は、カップ型座金）１０ａ，１０ｂを備えた磁性金属製（鉄製）の棒状のものであり、一端の螺軸部９ａは、型枠板４に設けられた貫通孔１１に内側から挿通され、同一側の型枠板受止め用座金１０ａによって型枠板４を受け止める。型枠締結具６は、型枠板４から外側に突出するセパレーター５の螺軸部９ａに螺合されて、型枠板受止め用座金１０ａとの間で型枠板４を挟持固定する棒状本体６ａと、この棒状本体６ａに嵌合して外側の垂直バタ材８を型枠板４側に締結する締結用当て部材６ｂから構成されている。
【０００９】
他方のコンクリート型枠２は、上記のように組み立てられて所定位置に設置されたコンクリート型枠１における型枠板４の内側に突設されている各セパレーター５を利用して、当該型枠板４との間にコンクリート打設空間３を形成するように設置されるものであって、その型枠板１２には、前以て、前記各セパレーター５の位置に合わせて貫通孔１３が設けられている。この各貫通孔１３は、コンクリート型枠１のセパレーター５の先端に型枠板１２を当接させて外側からハンマーで打撃するなどして、型枠板１２の内面に各セパレーター５の位置をマークし、この各マークの位置に穿設されるものである。
【００１０】
而して、コンクリート型枠１における型枠板４の内側に突設されている各セパレーター５の先端螺軸部９ｂが型枠板１２に設けられている各貫通孔１３に挿通されると共に、当該先端螺軸部９ｂの内側に位置する型枠板受止め用座金１０ｂに型枠板１２が当接するように、型枠板１２を設置し、この型枠板１２の外側に突出するセパレーター５の先端螺軸部９ｂに型枠締結具１４の棒状本体１４ａを螺合して、型枠板受止め用座金１０ｂとの間で型枠板１２を挟持固定する。この後は、コンクリート型枠１の組立てと同じように、前記型枠締結具１４の棒状本体１４ａに嵌合する締結用当て部材１４ｂを利用して型枠板１２の外側に水平バタ材１５及び垂直バタ材１６を組み付けて、コンクリート型枠２が組み立てられる。
【００１１】
尚、コンクリート型枠１，２の型枠板４，１２の外側の型枠構造は一例であって、型枠締結具６，１４の構造やバタ材７，８，１５，１６の配置など、図示のものに限定されないことは勿論である。例えば図示例では、型枠締結具６，１４として、棒状本体６ａ，１４ａに螺合する締結用ナット６ｃ，１４ｃにより締結用当て部材６ｂ，１４ｂを型枠板４，１２側に締結するネジ式のものを示しているが、楔板によって型枠板４，１２側にバタ材８，１６を締結する楔式の型枠締結具なども使用出来る。
【００１２】
以上のように組み立てられるコンクリート型枠１，２間のコンクリート打設空間３は、型枠板４，１２によって構成されるが、この型枠板４，１２の内、後から設置される後設置型枠板１２に各セパレーター５の位置に合わせて設けられる貫通孔１３は、図２に示すように、この貫通孔１３に挿通されるセパレーター５の先端螺軸部９ｂの外径ｄよりも一定寸法だけ大きな内径Ｄ１のものが穿設される。例えば、セパレーター５の先端螺軸部９ｂの外径ｄが７．８ｍｍである場合、貫通孔１３の内径Ｄ１は、直径差＝４．２ｍｍ程度の余裕を見て１２ｍｍ程度に設定される。この場合、貫通孔１３の軸心に対するセパレーター５（先端螺軸部９ｂ）の軸心のずれが半径方向２．１ｍｍの範囲内であれば、貫通孔１３内に先端螺軸部９ｂを挿通させることが出来るが、半径方向２．１ｍｍを超えるずれ量があるときは、貫通孔１３内に先端螺軸部９ｂを挿通させることが出来ない。
【００１３】
次に本発明に係る補助具について説明する。図３に示すように、本発明の補助具１７は、合成樹脂製の軸状本体１８と磁石１９によって構成されている。軸状本体１８は、長さの中程から一端までの部分が、先端側ほど小径になった円錐形部分１８ａとなっており、この円錐形部分１８ａの尖端１８ｂのある側とは反対側の端面から有底孔２０が同心状に形成されている。磁石１９は、前記有底孔２０の内径よりも小径の円柱状のもので、当該有底孔２０の底部に同心状に埋設固着され、その磁石一端面１９ａは、有底孔２０内に露出している。上記補助具１７の有底孔２０は、図３Ｃに示すように、セパレーター５の先端螺軸部９ｂの直径と同一か又は若干大きい内径のもので、その軸心方向の深さは、セパレーター５の先端螺軸部９ｂの全長より少し短い程度のものである。
【００１４】
上記の補助具１７は、後設置型枠板１２を設置する前に、コンクリート型枠１の既設型枠板４の内側に突設された状態の各セパレーター５の先端螺軸部９ｂに被せる。即ち、各セパレーター５の先端螺軸部９ｂを有底孔２０内に差し込むように、補助具１７を各セパレーター５の先端螺軸部９ｂに被せると、磁石１９の一端面１９ａとセパレーター５の先端螺軸部９ｂの先端面とが磁力で互いに吸着し合って、補助具１７がセパレーター５の先端螺軸部９ｂに保持される。このように全てのセパレーター５の先端螺軸部９ｂに補助具１７を被せて保持させた後に後設置型枠板１２を、各補助具１７が後設置型枠板１２側の各貫通孔１３に挿通されるように設置させる。この場合、補助具１７の有底孔２０の直径をセパレーター５の先端螺軸部９ｂの外径ｄ＝７．８ｍｍに合わせ、この有底孔２０を備えた大径部の外径ｄ２を８．８ｍｍ、尖端１８ｂの外径ｄ３を１ｍｍ程度とすれば、図４Ａに示すように、後設置型枠板１２に穿設される貫通孔１３の内径Ｄ２は、図２に示す従来の貫通孔１３の内径Ｄ１の１２ｍｍと比較して９ｍｍ程度に小さくしても、当該貫通孔１３と補助具１７の尖端１８ｂとの直径差は８ｍｍ程と大きくなり、貫通孔１３の軸心に対する補助具１７の尖端１８ｂの軸心のずれが半径方向４ｍｍの範囲内であれば、貫通孔１３に対する補助具１７の自動調心作用により当該貫通孔１３内に補助具１７をセパレーター５の先端螺軸部９ｂと共に容易且つ円滑に挿通させることが出来る。このときの補助具１７の大径部の外径ｄ２と貫通孔１３の内径Ｄ２との直径差は、０．２ｍｍ程で非常に小さくなる。
【００１５】
上記の説明から明らかなように、既設型枠板４の内側に突設された状態の各セパレーター５の先端螺軸部９ｂに補助具１７を被せ、当該補助具１７を磁石１９の磁気吸着力により各セパレーター５の先端螺軸部９ｂに保持させた状態で、後設置型枠板１２の設置を行うことにより、従来なら各セパレーター５の先端螺軸部９ｂと後設置型枠板１２側の貫通孔１３との間の軸心の半径方向ずれが２．１ｍｍの範囲内でなければ貫通孔１３に各セパレーター５の先端螺軸部９ｂを挿通させることが出来ないところが、上記補助具１７の併用により、当該補助具１７の先端１８ｂと後設置型枠板１２側の貫通孔１３との間の軸心の半径方向ずれが４ｍｍの範囲内であれば、確実に当該補助具１７を内側の先端螺軸部９ｂと共に貫通孔１３に挿通させることが出来、後設置型枠板１２の設置作業が極めて容易に行える。しかも、図４Ｂに示すように、後設置型枠板１２の設置後、当該型枠板１２の外側に突出している補助具１７を、磁石１９とセパレーター５の先端螺軸部９ｂとの間の磁気吸着力に抗して引き抜くだけで、補助具１７を簡単に取り外すことが出来、型枠締結具１４の棒状本体１４ａを、後設置型枠板１２の外側に突出している各セパレーター５の先端螺軸部９ｂに螺合連結し、従来と同一の作業方法によりコンクリート型枠２を組み立てることが出来る。しかも従来と比較して、後設置型枠板１２の貫通孔１３の内径を例えば９ｍｍ程度と小さく出来るので、当該貫通孔１３とセパレーター５の先端螺軸部９ｂとの間の遊び（隙間を）を大幅に小さく出来る。
【００１６】
尚、補助具１７の磁石１９は、補助具１７の軸状本体１８に設けられた有底孔２０の底面に埋設したが、当該有底孔２０の底面に磁石１９の一端面を接着剤で接着固定することも出来る。
【産業上の利用可能性】
【００１７】
本発明のコンクリート型枠組立て用補助具は、所定位置に固定されているセパレーターの先端螺軸部を後設置型枠板に設けられた貫通孔に挿通させるように当該後設置型枠板を設置する作業を容易にするために、セパレーターの先端螺軸部に被せて使用する補助具として活用出来る。
【符号の説明】
【００１８】
１，２    コンクリート型枠
３    コンクリート打設空間
４    既設型枠板４
５    セパレーター
６，１４    型枠締結具
７，８，１５，１６    バタ材
９ａ，９ｂ    セパレーターの先端螺軸部
１０ａ，１０ｂ    セパレーターの型枠板受止め用座金
１１，１３    貫通孔
１２    後設置型枠板
１７    補助具
１８    軸状本体
１８ａ    円錐形部分
１８ｂ    尖端
１９    磁石
２０    有底孔
【図１】
2014125800.tif 000003
【図２】
2014125800.tif 000004
【図３】
2014125800.tif 000005
【図４】
2014125800.tif 000006